(57)【要約】      （修正有）【課題】片手での伸縮操作を確実にし、しかも縮小時に摺動先金に対し後方への衝撃を加えるだけで伸長し筆記状態となる伸縮式ボールペンを提供する。【解決手段】前軸部１と該前軸部の後部内に摺動自在に嵌入して互いの端部位置まで伸縮自在の後軸部２とよりなり、前軸部は、口金３を螺着した前軸本体４と、該前軸本体に固定台座５を介し内設した芯筒６に挿脱自在に緊入して口金、摺動先金７より芯先を突出自在としたボールペンリフィル８と、該ボールペンリフィルの先部位置において口金の段差と鍔との間に第一スプリング９を介してボールペンリフィルの芯先を隠蔽する位置まで突出自在とした摺動先金と、芯筒の基端に設けた固定台座を貫遊し先端を摺動先金の鍔に接し第一スプリングに抗して押圧自在とした押棒１０と、芯筒の外側に巻装されて基端が固定台座に接し先端が後軸部をを押圧する長スプリング１１とよりなる伸縮式ボールペン。【選択図】  図１
2007136920.tif 000002
【特許請求の範囲】
【請求項１】
前軸部と該前軸部の後部内に摺動自在に嵌入して互いの端部位置まで伸縮自在の後軸部とよりなり、前軸部は、口金を螺着した前軸本体と、該前軸本体に後述の固定台座を介し内設した芯筒に挿脱自在に緊入して口金、後述の摺動先金より芯先を突出自在としたボールペンリフィルと、該ボールペンリフィルの先部位置において口金の段差と鍔との間に第一スプリングを介してボールペンリフィルの芯先を隠蔽する位置まで突出自在とした摺動先金と、芯筒の基端に設けた固定台座を貫遊し先端を摺動先金の鍔に接し第一スプリングに抗して押圧自在とした押棒と、芯筒の外側に巻装されて基端が固定台座に接し先端が後軸部をを押圧する長スプリングとよりなり、後軸部は、巻装した長スプリングの外側を貫遊する押圧中子を固定した後軸本体と、後端内側に設けたオスホック或はメスホックとよりなり、このオスホック或はメスホックは芯筒の後端に設けた対応するメスホック或はオスホックに前軸部と後軸部の縮小時に止着自在とし、このメスホックとオスホックの係合は縮小時の摺動先金の後方への衝撃により解離自在とした伸縮式ボールペン。
【発明の詳細な説明】
【技術分野】
【０００１】
本発明は伸縮式のボールペンに関する。
【背景技術】
【０００２】
従来の伸縮式のボールペンは、不使用時には前軸部と後軸部の間隔の前後の縮小操作によって押棒を摺動先金に衝当させ、これによって摺動先金をボールペンリフィルの芯先隠蔽位置まで突出させ、又使用時には前軸部と後軸部の間隔の前後の伸張作動によって押棒と摺動先金の接触を解いて摺動先金をボールペンリフィルの芯先を露出する位置まで引っ込ませるようにしていたものがある。
【０００３】
然しながらこの伸縮式ボールペンにあっては、両手を使用して伸縮操作をしなければならず、不便である。
【発明の開示】
【発明が解決しようとする課題】
【０００４】
そこで本発明は、片手での伸縮操作を確実にし、しかも縮小時に摺動先金に対し後方への衝撃を加えるだけで伸長し筆記状態となる伸縮式ボールペンを提供しようとするものである。
【課題を解決するための手段】
【０００５】
前軸部と該前軸部の後部内に摺動自在に嵌入して互いの端部位置まで伸縮自在の後軸部とよりなり、前軸部は、口金を螺着した前軸本体と、該前軸本体に後述の固定台座を介し内設した芯筒に挿脱自在に緊入して口金、後述の摺動先金より芯先を突出自在としたボールペンリフィルと、該ボールペンリフィルの先部位置において口金の段差と鍔との間に第一スプリングを介してボールペンリフィルの芯先を隠蔽する位置まで突出自在とした摺動先金と、芯筒の基端に設けた固定台座を貫遊し先端を摺動先金の鍔に接し第一スプリングに抗して押圧自在とした押棒と、芯筒の外側に巻装されて基端が固定台座に接し先端が後軸部をを押圧する長スプリングとよりなり、後軸部は、巻装した長スプリングの外側を貫遊する押圧中子を固定した後軸本体と、後端内側に設けたオスホック或はメスホックとよりなり、このオスホック或はメスホックは芯筒の後端に設けた対応するメスホック或はオスホックに前軸部と後軸部の縮小時に止着自在とし、このメスホックとオスホックの係合は縮小時の摺動先金の後方への衝撃により解離自在とした伸縮式ボールペンである。
【発明の効果】
【０００６】
本発明の効果として、縮小時に摺動先金に対し後方への衝撃を加えるだけで後軸部を後方に伸長させて筆記状態とすることができ、縮小操作も後軸部を前軸部に押し込むだけででき、且つこれらの操作は片手ででき便利である。
【実施例】
【０００７】
前軸部１と該前軸部１の後部内に摺動自在に嵌入して互いの端部位置まで伸縮自在の後軸部２とよりなり、前軸部１は、口金３を螺着した前軸本体４と、該前軸本体４に後述の固定台座５を介し内設した芯筒６に挿脱自在に緊入して口金３、後述の摺動先金７より芯先を突出自在としたボールペンリフィル８と、該ボールペンリフィル８の先部位置において口金２の段差と鍔７’との間に第一スプリング９を介してボールペンリフィル８の芯先を隠蔽する位置まで突出自在とした摺動先金７と、芯筒６の基端に設けた固定台座５を貫遊し先端を摺動先金７の後端に設けたストッパー７’を介して設けた鍔７”に接し第一スプリング９に抗して押圧自在とした複数の押棒１０，１０と、芯筒６の外側に巻装されて基端が固定台座５に接し先端が後軸部２を押圧する長スプリング１１とよりなり、後軸部２は、巻装した長スプリング１１の外側を貫遊する押圧中子１２を固定した後軸本体１３と、後端内側に設けたオスホック１４とよりなり、このオスホック１４は芯筒６の後端に設けたメスホック１５に前軸部１と後軸部２の縮小時に止着自在とし、このメスホック１５とオスホック１４の係合は縮小時の摺動先金７に対する後方への衝撃により解離自在としたものである。尚オスホック14はメスホックでもよく、逆にメスホック15はオスホックでもよい。
【０００８】
図中１６は前軸本体４の後端内側に固定したスライドストッパーで、後軸本体１３の前端に設けた羽スプリング１７と衝当して伸長作動が停止する。１８は天冠である。
【０００９】
本発明は以上のようになるもので、その操作は以下のようにする。即ち図１の縮小状態から図２の伸長状態にするには全体を持って摺動先金７の先端を書類や机などの面に衝突させることによりその衝撃は鍔７”、押棒１０、押圧中子１２、後軸本体１３、オスホック１４と伝わってメスホック１５と解離し、同時に長スプリング１１は後軸本体１３を後方に押し出し、羽スプリング１７とスライドストッパー１６が衝当し、ボールペンリフィル８の芯先が摺動先金７の先端より露呈して図２の伸長状態となり筆記することができる。勿論前軸本体１３を持ってと後軸本体１３を後方に引き出すようにすればオスホック１４とメスホック15か解離し図２の伸長状態にすることができる。
【００１０】
図２の伸長状態から縮小状態にするには上記操作と反対の操作をすればよい。即ち後軸本体１３を前軸本体４内に押し込み押すホック４とメスホック１５を係合させルことにより摺動金具７がボールペンリフィル８の芯先を隠蔽する位置まで突出し、図１の縮小状態になる。
【図面の簡単な説明】
【００１１】
【図１】本発明に係る伸縮式ボールペンの縮小時の断面説明図
【図２】同伸長時(筆記時)の断面説明図
【符号の説明】
【００１２】
１：前軸部
２：後軸部
３：口金
４：前軸本体
５：固定台座
６：芯筒
７：摺動先金
７’：ストッパー
７”：鍔
８：ボールペンリフィル
９： 第一スプリング
１０：押棒
１１：長スプリング
１２、押圧中子
１３：後軸本体
１４：オスホック
１５：メスホック
１６：スライドストッパー
１７：羽スプリング
１８：天冠
【図１】
2007136920.tif 000003
【図２】
2007136920.tif 000004